(57)【要約】【課題】ビットの長手方向の軸を中心として回動可能に取り付けられる回動可能な切削刃と回動が規制された切削刃の複数種のビットを取付け可能なビットホルダを提供する。【解決手段】切削刃４ａの固定棒４１を受け入れる固定棒受入れ穴１１と，固定棒４１を取り付ける取付け棒４９を挿入する取付け穴１２とを備え、端面に切削刃の回転を規制する回転阻止部１３と切削刃の回転を許容する切削刃回転受け部１４とを備えたビットホルダ１ａ。【選択図】図１
2010001661.tif 000002
【特許請求の範囲】
【請求項１】
アースオーガのオーガヘッドに固定するビットホルダにおいて、
切削刃の固定棒を受け入れる固定棒受入れ穴と固定棒を取り付ける取付け棒を挿入する取付け穴とを備え、
端面に切削刃の回転を規制する回転阻止部と切削刃の回転を許容する切削刃回転受け部とを備えた
ことを特徴とするビットホルダ。
【請求項２】
請求項１記載のビットホルダにおいて、
前記回転阻止部は、ビットホルダの端面に設けた溝形状で構成される
ことを特徴とするビットホルダ。
【請求項３】
請求項２記載のビットホルダにおいて、
前記回転阻止部の溝の両端部の面を、回転が規制される切削刃を受ける面とした
ことを特徴とするビットホルダ。
【請求項４】
請求項１記載のビットホルダにおいて、
前記回転阻止部は、ビットホルダの端面から内側に延びる溝形状で構成される
ことを特徴とするビットホルダ。
【請求項５】
請求項４記載のビットホルダにおいて、
前記切削刃回転受け部を、回転が規制される切削刃を受ける面とした
ことを特徴とするビットホルダ。
【請求項６】
請求項１に記載のビットホルダにおいて、
前記切削刃回転受け部は、前記回転阻止部の底面よりも奥に底面が設けられる
ことを特徴とするビットホルダ。
【請求項７】
請求項６に記載のビットホルダにおいて、
前記切削刃回転受け部の底面を、回転を許容する切削刃の受け面とした
ことを特徴とするビットホルダ。
【請求項８】
請求項２に記載のビットホルダに取り付けられる回転が規制される切削刃において、
前記ビットホルダに対向する面に前記回転阻止部に嵌めあわされる凸条を設けた
ことを特徴とする回転が規制される切削刃。
【請求項９】
請求項４に記載のビットホルダに取り付けられる回転が規制される切削刃において、
前記ビットホルダの端面から内側に延びる溝に嵌めあわされる凸条を設けた
ことを特徴とする回転が規制される切削刃。
【請求項１０】
先端部に切削刃を取り付けるビットホルダを固定したオーガヘッドにおいて、
前記ビットホルダは、前記切削刃を支持するにあたり、切削刃の長手方向軸に回動可能に切削刃を支持する機構と、切削刃の長手方向軸の回動を阻止して切削刃を指示する機構とを備えた
ことを特徴とするオーガヘッド。
【発明の詳細な説明】
【技術分野】
【０００１】
本発明は、地盤を掘削する掘削爪およびオーガヘッドに関し、ことにオーガヘッドの構造およびアースオーガヘッドのビットホルダならびに切削刃の取付け構造に関する。
【背景技術】
【０００２】
アースオーガのビットを交換可能とした構造は、例えば、下記特許文献１に記載されている。図９に示すように、この着脱式アースオーガビットは、ビット本体５１とビットホルダ５２と連結部材５３とからなる。ビット本体５１は、切削刃５１１を供えた切削頭部５１２およびこれに連接された固定棒５１３から構成される。この固定棒５１３は、軸方向に直交する断面形状が上下に配置された１対の円柱部分５１３ｂと中間のくびれ部分５１３ａとを有しており、一方の側面には半欠状態にある抜け止め凹部５１４が構成される。ビットホルダ５２はその端面に前記固定棒が挿入される受入れ穴５２１が穿設され、上下面には受入れ穴と交差する取付け穴５２２が穿設される。連結部材５３は、ボルト５３１とナット５３２からなる。アースオーガのスクリューに溶接により固定されたビットホルダ５２の受入れ穴５２１にビット本体５１の固定棒５１３を挿入し、取付け穴５２２に連結部材５３を挿入することによって、ビットはスクリューに取り付けられる。
【０００３】
この着脱式アースオーガビットは、特殊な形状の固定棒を有する剣先刃ビット本体とこれを受け入れるビットホルダを用いているので、通常の円錐形のビット（丸形刃ビット）をビットホルダに回動可能に取り付けることはできない。このような、丸形刃ビットを取り付けるには、ビットホルダ自体を付け替えるか、ビットホルダが固定されたオーガヘッドを取り換えることが必要となる。
【特許文献１】特開２００２−３３９６８０号公報
【発明の開示】
【発明が解決しようとする課題】
【０００４】
本発明は、ビットの長手方向の軸を中心として回動可能に取り付けられる従来からの形状を有する丸形刃ビット（回動可能な切削刃）と固定された剣先刃ビット（回動が規制された切削刃）の複数種のビットを選択して取付け可能なビットホルダ、および、このホルダに取り付ける剣先刃ビットの構造ならびにこのビットホルダを備えたアースオーガヘッドを提供することを目的とする。
【課題を解決するための手段】
【０００５】
上記課題を解決するために、本発明は、ビットホルダの構造を、回動可能な切削刃である丸形刃ビットを回動可能に取り付けるとともに、回動が規制された切削刃である剣先刃ビットを回動しないように取り付け可能な構造とした。すなわち、本発明のビットホルダは、丸形刃ビットを回動可能に受ける受け部と、剣先刃ビットの回動を阻止する受け部とを備え、回動を阻止する受け部が回動可能受け部での丸形刃ビットの回動を妨げない構成とした。
【発明の効果】
【０００６】
上記構成を備えることにより、本発明のビットホルダは、丸形刃ビットと剣先刃ビットを交換可能にビットホルダに取り付けることができ、地層の状態の変化に応じてビットを選択してオーガヘッドに取り付けて使用することができるので、地層の状態の変化に応じてオーガヘッドを交換する必要がなくなるまた、オーガヘッドを複数設ける必要がなくなる。
【発明を実施するための最良の形態】
【０００７】
［実施例１］図１〜図３を用いて、本発明にかかるビットホルダと剣先刃ビットの構造を説明する。図１は、上段が剣先刃ビットをビットホルダに取り付けた状態の上面図であり、下段がその正面図である。図２は、ビットホルダの構造を説明する図であり、上段が上面図、下段右がその正面図、下段左がその左側面図である。図３は、剣先刃ビットの構造を説明する図であり、上段が上面図、下段左がその正面図、下段右がその右側面図である。
【０００８】
図２に示すように、ビットホルダ１は、直方体に構成され、固定棒受入れ穴１１と、取付け穴１２と、剣先刃ビット受け部１３と、丸形刃ビット受け部１４とを有している。
【０００９】
固定棒受入れ穴１１は、ビットの固定棒を受け入れる穴で、挿入された固定棒が内部で回動できるように固定棒の軸方向に直交する面での断面形状が円形に構成されている。固定棒受入れ穴１１の底部１１１は、固定棒の後端部を支持することもできる。
【００１０】
取付け穴１２は、固定棒受入れ穴１１の円形断面の側部の一部分を通ってビットホルダ１の上面から下面を貫通する穴で、挿入された固定棒のピン受け溝４２に取付け棒４９が嵌合して、ビットの前後方向の動きを規制し、ビットを回動可能に保持する働きを有する。
【００１１】
剣先刃ビット受け部１３は、ビットホルダ１の端面に設けられた縦長の溝で構成され、剣先刃ビット受け面１３１と案内壁１３２と底面１３３を有している。
【００１２】
丸形刃ビット受け部１４は、ビットホルダ１の端面に設けられた丸形刃ビット４ｂを受ける大きさの円形の穴を有し、丸形刃ビット受け部周壁面１４１と丸形刃ビット受け部底面１４２とを有している。丸形刃ビット受け部底面１４２は丸形刃ビットの端面４４２を受ける面である。丸形刃ビット受け部周壁面１４１は丸形刃ビットが挿入される穴を構成する壁面であり、剣先刃ビット受け部１３の規制壁１３２の一部を外側に広げる形に設けられ、丸形刃ビットが回動可能に支持される。
【００１３】
図１、図３に示すように、剣先刃ビット４ａは、固定棒４１と、ピン受け溝４２と、係止部４３と、凸条４６と、剣先刃４８とを有している。固定棒４１は、剣先刃ビットの後部に設けられ、その後端部には係止部４３と環状のピン受け溝４２が設けられている。
【００１４】
ピン受け溝４２は、固定棒４１がビットホルダ１の固定棒受入れ穴１１に挿入された状態で取付け穴１２に取付け棒４９を挿入することにより、前後方向の動きが規制される。
【００１５】
係止部４３は、取付け棒４９とともに切削刃ビットの抜けを阻止する。
【００１６】
凸条４６は、ビットホルダ１の剣先刃ビット受け部１３に嵌合するように設けられ、ビットホルダ１に剣先刃ビット４ａを取り付けたときに、剣先刃ビット４ａの凸部４６の周壁４６２が剣先刃ビット受け部１３の規制壁１３２に接して、ビット長手方向軸での回動を規制する。
【００１７】
剣先刃４８は先端に剣先刃チップ４８３が溶接などにより固定されその後方に剣先刃４８を覆うようにして硬化肉盛部４８２が設けられる。剣先刃４８の後部は裾広がりとされ、剣先刃係止面４８１が設けられている。
【００１８】
図１に示すように、剣先刃ビット４ａの固定棒４１をビットホルダ１の固定棒受入れ穴１１に挿入した後、取付け穴１２に取付け棒４９を挿入することにより、剣先刃ビット４ａは、前後の動きが規制されるとともに、ビット受け部１３の規制壁１３２によって、回動が規制される。このことにより、剣先刃ビット４ａの剣先刃係止面４８１がビットホルダ１の剣先刃ビット受け面１３１で受けられる。
【００１９】
このようにして、ビットホルダ１に取り付けられた剣先刃ビット４ａは、前後方向の動きが規制されて取り付けられるとともに、剣先刃ビット４ａの長手方向の軸を中心とした回動も規制される。
【００２０】
上記説明では、剣先刃ビット４ａは、剣先刃係止面４８１がビットホルダ１の剣先刃ビット受け面１３１で受けられる構造としたが、剣先刃ビット４ａの凸条底面４６１が、ビットホルダ１の剣先刃ビット受け部底面１３３で受けられる構造としてもよい。
【００２１】
図２、４、５を用いて、発明のビットホルダ１に丸形刃ビット４ｂを取り付けた状態を説明する。丸形刃ビット４ｂは、固定棒４１と、ピン受け溝４２と、係止部４３と、凸部底面４４１および凸部周壁面４４２を有する断面円形の凸部４４と、先端に丸形刃チップ４５２を取り付けた先端部４５１が設けられた丸型刃４５とからなる。
【００２２】
ビットホルダ１の固定棒受入れ穴１１に丸形刃ビット４ｂの固定棒４１を挿入して、取付け穴１２に取付け棒４９を挿入することによって、丸形刃ビット４ｂは前後の移動が規制されて取り付けられる。丸形刃ビット４ｂの凸部４４は丸形刃ビット受け部１４に挿入され、凸部底面４４１が丸形刃ビット受け部底面１４２に支持され、ビットの長手方向軸を中心にして回動可能に支持される。
【００２３】
［実施例２］本発明の第２の実施例を、図６および図７を用いて説明する。この実施例は、第１の実施例における剣先刃ビットの回動を規制する回動規制部を切削刃回動受け部の外側に設けた例であり、剣先刃ビットは切削刃回動受け部で支持されるように構成した。図６は、本実施例における剣先刃ビット４ｃの構造を示す正面図と右側面図であり、図７は、この実施例のビットホルダ１ｂの構造を示す正面図および左側面図ならびに側面図のＩ−Ｉ線での断面図である。
【００２４】
第２の実施例にかかる剣先刃ビット４ｃは、固定棒４１と、ピン受け溝４２と、係止部４３と、凸部４４と、剣先刃４８とを有している。固定棒４１は、剣先刃ビットの後部に設けられ、その後端部には係止部４３と環状のピン受け溝４２が設けられている。ピン受け溝４２は、固定棒４１がビットホルダ１の固定棒受入れ穴１１に挿入された状態で取付け穴１２に取付け棒４９を挿入することにより、前後方向の動きが規制される。剣先刃４８は先端に剣先チップ４８３が固定されその後方に剣先刃４８を覆うようにして硬化肉盛部４８２が設けられ、剣先刃４８の後部は裾広がりとされ、剣先刃係止面４８１が設けられている。
【００２５】
本実施例においては、凸部４４の周壁面４４２に外側に突出する回動阻止用突出部４６３が設けられている。この例では、回動阻止用突出部４６３は、凸部底面４４１よりも先端側にその底部４６３１が設けられる。
【００２６】
ビットホルダ１ｂは、固定棒受入れ穴１１と、取付け穴１２と、丸形刃ビット受け部１４とを有している。さらに、ビットホルダ１ｂの丸形刃ビット受け部の周壁１４１には、複数の剣先刃ビット受け部１３４が周壁の外側に向けて設けられる。剣先刃ビット受け部１３４は、剣先刃ビット受け部底面１３４１が丸形刃ビット受け部底面１４２より剣先側になるように設けられている。
【００２７】
このビットホルダ１ｂに剣先刃ビット４ｃを取り付けると、固定棒４１が固定棒受入れ穴１１に挿入されるとともに、凸部４４がビットホルダ１ｂの丸形刃ビット受け部１４に挿入される。凸部底面４４１は、丸形刃ビット受け部底面１４２に支持される。回動阻止用突出部４６３は、剣先刃ビット受け部１３４に挿入され、その側壁４６３２が剣先刃ビット受け部１３４の側壁１３４２により回動が規制される。
【００２８】
このようにして、第１の実施例と同様に、同一のビットホルダを用いて、回動可能な切削刃を有する例えば丸形刃ビットと、回動を規制した切削刃を有する例えば剣先刃ビットの双方を選択して取り付けることが可能となる。
【００２９】
この実施例では、剣先刃ビット受け部１３４の底面１３４１が丸形刃ビット受け部１４の底面１４２より剣先側になるように設けるとしたが、剣先刃ビット受け部底面１３４１は、丸形刃ビット受け部底面１４２と同じ面であっても良い。この場合、剣先刃ビット４ｃの回転阻止用突出部底面４６３１は、凸部４４の底面４４１と同じ面とされる。
【００３０】
図８を用いて、オーガヘッドに溶接した本発明にかかるビットホルダにビットを取り付けた例を説明する。オーガヘッド２は、回転軸２１と、この回転軸２１の周囲に螺旋状に巻かれた２枚の羽根２２と、回転軸２１の上部に設けた結合部２３とから構成される。羽根２２の先端部には、本発明にかかるビットホルダ１と従来のビットホルダ３が溶接により固定され、各ビットホルダ１、３にはビット４が取り付けられる。
【００３１】
このように、本発明によれば、一つのビットホルダで、回動可能に支持する丸形刃ビットと、回転を規制した剣先刃ビットの双方を選択して取り付けることが可能となる。
【図面の簡単な説明】
【００３２】
【図１】本発明にかかるビットホルダに剣先刃ビットを固定した状態を説明する図。
【図２】本発明にかかるビットホルダの形状を説明する図。
【図３】本発明にかかる剣先刃ビットの形状を説明する図。
【図４】本発明にかかるビットホルダに取り付ける丸形刃ビットの形状を説明する図。
【図５】本発明にかかるビットホルダに丸形刃ビットを固定した状態を説明する図。
【図６】本発明の第２の実施例にかかる剣先刃ビットの形状を説明する図。
【図７】本発明の第２の実施例にかかるビットホルダの形状を説明する図。
【図８】本発明にかかるビットホルダを取り付けたオーガヘッドの形態を説明する図。
【図９】従来の剣先刃ビットとビットホルダの構成を説明する図。
【符号の説明】
【００３３】
１ａ、１ｂ：ビットホルダ
１１：固定棒受入れ穴
１１１：固定棒受入れ穴底部
１２：取付け穴
１３：剣先刃ビット受け部
１３１：剣先刃ビット受け面
１３２：規制壁
１３３：剣先刃ビット受け部底面
１３４：剣先刃ビット受け部
１３４１：剣先刃ビット受け部底面
１３４２：剣先刃ビット受け部側壁
１４：丸形刃ビット受け部
１４１：丸形刃ビット受け部周壁面
１４２：丸形刃ビット受け部底面
２：オーガヘッド
３：従来のビットホルダ
４：掘削刃（ビット）
４ａ、４ｃ：剣先刃ビット
４ｂ：丸形刃ビット
４１：固定棒
４２：ピン受け溝
４３：係止部
４４：凸部
４４１：凸部底面
４４２：凸部周壁面
４５：丸形刃
４５１：先端部
４５２：丸形刃チップ
４６：凸条
４６１：凸条底面
４６２：凸条案内面
４６３：回動阻止用突出部
４６３１：回動阻止用突出部底面
４６３２：回動阻止用突出部側壁
４８：剣先刃
４８１： 剣先刃係止面
４８２：硬化肉厚部
４８３：剣先刃チップ
４９：取付け棒
５１：ビット本体
５１１：切削刃
５１２：切削頭部
５１３：固定棒
５１３a：くびれ部分
５１３ｂ：円柱部分
５１４：抜け止め凹部
５２：ビットホルダ
５２１：受入れ穴
５２２：取付け穴
５３：連結部材
５３１：ボルト
５３２：ナット
【図１】
2010001661.tif 000003
【図２】
2010001661.tif 000004
【図３】
2010001661.tif 000005
【図４】
2010001661.tif 000006
【図５】
2010001661.tif 000007
【図６】
2010001661.tif 000008
【図７】
2010001661.tif 000009
【図８】
2010001661.tif 000010
【図９】
2010001661.tif 000011